(57)【要約】　　　（修正有）【課題】クリスマスツリーや門松などの装飾体をケースに納め、開閉自在な折りたたみ型に構成することにより、展示には大きく見開き自立展示装飾ができ、かつ、収納にはケースにコンパクトに折りたためられる装飾体を提供する。【解決手段】折りたたみ装飾体１が、二つ以上のケース３を介し綴りもと４ａより、開閉自在に連結係止され、ケース３の内側面に鏡、反射板２を設け折りたたみ機構を成し、装飾体の樅の木などの樹木の葉や枝を模した飾りツリー体１０ｂを可動自在に配列枢設して構成する。装飾体は、薄くコンパクトに収納され、開くと飾りツリー体１０ｂａがバランス良く開き、スピーディに立体的な展示装飾を可能にする。【選択図】　図１
2004027454.tif 000002
【特許請求の範囲】
【請求項１】
二つ以上のケースが綴りもとを介し、開閉自在に連結係止され折りたたみ機構を呈し、綴りもとの連結部位に樹木の葉や枝を模した複数本の飾りツリーや門松飾材より成す装飾体が、連結部位の連なる溝穴に装着係止により可動自在に配列枢設され、折りたたみケース内に装飾体を収納し、開閉自在に見開き装飾体を展示成らしめる構成とすることを特徴とする折りたたみ装飾体。
【請求項２】
綴りもとの連結部位をヒンジ連結部により開閉自在に連結係止され折りたたみ機構を呈し、ヒンジ連結部には掛けリングが配置枢設され、該掛けリングに複数本の装飾体が緊結に装着係止により可動自在に配列枢設された構成である請求項１に記載する折りたたみ装飾体。
【請求項３】
綴りもと連結部位のヒンジ連結部に軸棒又は、軸管を配置枢設され、該軸棒又は、軸管には複数本の装飾体が回動リングにより装着係止しスペーサーを隙間調整に挿入係止させ、可動自在に配列枢設された構成である請求項１に記載する折りたたみ装飾体。
【請求項４】
折りたたみ装飾体のケースの内側面に鏡又は、反射板を枢設した構成である請求項１から請求項３のいずれかに記載する折りたたみ装飾体。
【請求項５】
装飾体に電飾照明部材を配線した構成である請求項１から請求項４のいずれか一つの項に記載する折りたたみ装飾体。
【請求項６】
折りたたみ装飾品のケースの上下を一箇所以上の折曲可動部で連結係止させ折曲自在機構を呈し、折り曲げたたみ収納と成らしめる構成である請求項１から請求項５のいずれか一つの項に記載する折りたたみ装飾体。
【請求項７】
折りたたみ装飾体の綴りもとの連結部位に転倒防止材を成す装飾足を備えた構成である請求項１から請求項６のいずれか一つの項に記載する折りたたみ装飾体。
【請求項８】
折りたたみ装飾体のケース側部の連結部位や折曲可動部位にケースを保持固定する係止具を備えた構成である請求項１から請求項７のいずれか一つの項に記載する折りたたみ装飾体。
【発明の詳細な説明】
【０００１】
【発明に属する技術分野】
本発明は、クリスマスツリーや門松などの装飾体をケースに納め、開閉自在な折りたたみ型に構成することにより、展示には、大きく見開き自立展示装飾ができ、かつ収納には、ケースにコンパクトに折りたためられる装飾体に関する。
【０００２】
【従来の技術】
従来より、国民的行事には様々あるが、その中でも年末、年始の行事としてクリスマス行事に準備されるクリスマスツリーや、その後、新年を迎える為に門松飾りの用意などに慌ただしい日々が続く。特にクリスマス行事は、子供達が楽しみに待つ年末行事の一つでもある。その準備や手配も早期から行われるのが一般的である。又、クリスマスツリーの準備や装飾は、玩具店などで販売している卓上に飾るような小型のクリスマスセットを用意して展示したり、もう少し本格的な方法としては、模造ツリーや自然の樅の木を購入して、それに電飾照明や雪を模した綿、各種の付属装飾品を取り付けクリスマスツリー飾りを楽しんでいる。
【０００３】
また公知公開される技術に於いても、狭いスペースでも大きなクリスマスツリーを飾れる技術として、特開２００１−１７３０７によるクリスマスツリーがある。この技術は、樹木部は幹に沿った立平面位置を背面にして、その背面から前方の領域に複数の枝を配置し、鉢部の背面を樹木部の背面と位置揃えして成る構成のクリスマスツリー飾りでもあり、平面形状は、薄い縁故状を成すクリスマスツリーのため、狭いスペースでも対応できるものを提供している。
【０００４】
【発明が解決しようとする課題】
以上のようなクリスマスツリーや門松などの展示装飾品が提供され、それぞれの家庭に於いて、各行事に伴い予算やスペースなどを考慮したうえでツリーや門松を選択して催している。しかし、玩具店などで販売しているツリーや門松は、卓上に飾る程度に小さいのでボリューム感や豪華さに欠け見た目にも趣が無い。
一方、比較的に大きな一般家庭用の分解式や組み立て式では、展示に際し細かな組み立て飾り付けと楽しさも有り良いが、その行事の終了後には、再度細かく分解し、片付け、整えてしまい込む収納にも手間取り、かさばって、取り扱いも非常に面倒でかなり労力を要する程であった。そして、多くは枝の簡易な取り外しタイプであったり、枝のみの折りたたみ可能な簡易な程度の装飾品で、豪華さは有るが立体的で展示場所にも大きなスペースが必要な装飾品であった。
更に、公知公開されている技術は、平面形状が薄い円弧状であるので、大きくても周囲に立体的なスペースを取らず、何と言っても壁掛けには好都合だが、薄い形状なのでボリューム感や平面的で奥行きなどの立体感も無く、趣が希薄なうえ、電飾照明も備えていないので見栄えも悪く、豪華さに欠け、折りたたみもできず保管にも場所を取り、装飾性が低いクリスマスツリーの技術である。
【０００５】
【課題を解決するための手段】
本発明に係る折りたたみ装飾体は、展示装飾に際し、従来の装飾体の裏面で見えにくい部分に於いて、その不要な部分を削除して、展示スペースを大幅に削減させ、観賞しようとする装飾体部位のみをケースに納め、それらを鏡や反射板により映し補い、立体感を倍増させる効果的な演出を構成する。
二つ以上のケースを簡易的な綴りもとにより構成し、若しくは、耐久性を持たせ綴りもとの連結部位をヒンジ連結部により開閉自在に連結係止させた折りたたみ機構を構成する。その各々の連結部に位置させた複数の溝穴、掛けリング、及び、軸棒、軸管などを支点として、複数本の樹木の葉や枝を模した飾りツリーや門松飾材の装飾体を可動自在に配列枢設する。そして、コンセントにより電源を通じ電飾照明部材を配線した装飾体を構成することで貴賓と豪華さを演出する。
展示装飾に際しケースを見開き解放後、綴じ込まれていた装飾体を左右にバランス良く展開する事で装飾ツリー体や門松装飾体を簡単に立体展示できる。
折りたたみ装飾体のケースの解放角度が広く展示される場合には、装飾足により転倒を防ぎ、開閉角度を固定し自立展示が可能となる。又、折りたたみや自立展示を固定する係止具によりケースを保持固定する。更に、大きなサイズの場合には、ケースの上下を一箇所以上の折曲可動部で折り曲げたたみ収納させ、よりコンパクトに収納が可能で機能的にして扱い易い折りたたみ装飾品を構成する。
【０００６】
【発明の実施の形態】
この発明に於ける折りたたみ装飾体１は、従来の樅の木や門松飾りの立体的な装飾品と比べて折りたたみ可能で片付けに際しても容易でコンパクトに収納ができる。ショーウインドウや一般家庭では展示場所が限られ装飾品全体を全方位に立体的な展示装飾を要さず、一方向からの鑑賞でも立体的に現す展示可能な形態を成す。見えない裏面を削除し、ケースの内側面に鏡、反射板２を取り付け映し出し補うことで展示鑑賞の作用は損なわれない。削減した部分の装飾品やコストの削減と展示スペースの減少などの経済的効果を生み、鏡の反射により装飾品数量も倍増して見え、立体的な鑑賞が可能な形態を成す折りたたみ装飾体である。
【０００７】
折りたたみ装飾体１の内側面に鏡、反射板２を貼り枢設し、二つ以上のケース３の綴りもと４ａやヒンジ連結部４ｂに複数の溝穴８、掛けリング５、軸棒６、軸管７各々を選抜し設ける。そこを支点に装飾体の樅の木を模した飾りツリー１０ａの枝棒９を下部より上部に至るに従い短いものを装着係止させ、枝棒９を可動自在に配列した構成を成す。ケース３を開いて飾りツリー１０ａを左右にバランス良く展開するだけでスピーディにして容易に立体的な装飾ツリー体１０ｂを組み立てられる。少なくとも片面がケース３で、もう一方が仕切蓋１９でも折りたたみ装飾品１を成す事が可能で、単にクリスマスツリー飾りの装飾ツリー体１０ｂ若しくは、門松飾りの門松装飾体１１ｂ各々単独での折りたたみ装飾品１とする事もできる。又、ケース３の内側両面の鏡、反射板２により、飾りツリー１０ａや電飾が映るので電飾照明部材１２ａも倍増に見え美しく奥行き感が出る。
【０００８】
実施例２は、実施例１タイプの装飾ツリー体１０ｂに加えて、二つ以上のケース３、若しくは仕切蓋１９により間仕切り、門松装飾体１１ｂを形成したケース３を前実施例と同様に複合連結して成るので、クリスマス展示装飾が終わった後は、更に同じ要領で門松装飾体１１ｂを展示装飾することができる構成である。
実施例３は、折りたたみ装飾品１のケース３の上下を一箇所以上の折曲可動部１５で二つのケース３を連結係止させ折り曲げたたみ収納ができ、飾りツリー体１０ｂを半分の収納ケースで、縦に２倍の高さを形成し、狭いスペースも無理なく本格的な高さのクリスマスツリーを飾る事が可能な装飾ツリー体１１ｂを構成する。更に、三つ折り曲げにして３倍の高さも同じ手段で構成が可能と成る。
【０００９】
【実施例】
実施例１
本発明の折りたたみ装飾品の実施例１を図１乃至図５を参照して説明する。
該実施例は発明の基本型を示し、折りたたみ装飾体１が、二つ以上のケース３を介し簡易機構の綴りもと４ａ若しくは、耐久性を持つ強靱機構のヒンジ連結部４ｂにより、開閉自在に連結係止し、ケース３の内側面に鏡、反射板２を設け折りたたみ機構を成す。ケース３の内部の綴りもと４ａに複数の溝穴８を設け、若しくは、ヒンジ連結部４ｂにバインダー状に似た掛けリング５を一定間隔で多数個配置する。それらを支点に、装飾体の樅の木などの樹木の葉や枝を模した長さの異なる飾りツリー１０ａの枝棒９を装飾ツリー体１０ｂの下部より上部に至るに従い、飾りツリー１０ａを短く施し、樅の木に似せてクリスマスツリー形状に飾り整える。その枝棒９の根元端部が、Ｌ字状、若しくは、コの字状に曲げられ複数の適宜の大きさの溝穴８や掛けリング５に連なり脱落しないように緊結に装着係止され、かつ可動自在に配列枢設された装飾ツリー体１０ｂを構成する。
装着係止される枝棒９を弾力性の有する材料で使うことにより、枝棒９を溝穴８や掛けリング５に可動せず直接、綴りもと４ａやヒンジ連結部４ｂに緊結係止されても一定期間に於ける使用頻度では、展示装飾に耐えられ支障が少ない。
折りたたみ装飾体１の図４及び図５の要部拡大斜視図に於いて、図４では、掛けリング５に枝棒９を掛け留めする他の実施例を示したタイプで、一定間隔に複数の適宜の大きさの溝穴８を設け、飾りツリー１０ａの枝棒９を前記と同様に曲げられ、差し込み、掛け通して脱落無く緊結にして、かつ可動自在に掛け留めして形成するが、軸管７にその適宜の大きさの溝穴８を枢設しても可能である。
次に図５に示すタイプは、枝棒９の根元端部にフック状やリング状から成る回動リング１３を付けた飾りツリー１０ａと、一定の長さのスペーサー１４ａを交互に軸棒６に差し込み可動自在に形成するが、軸棒６を軸管７に代えて用いても問題は無い。いずれも軸棒６や軸管７を交点に枝棒９が脱落すること無く緊結に装着係止して複数の飾りツリー１０ａを左右に可動させ展示する構成である。
又、枝棒９の根元端部に設ける回動リング１３とスペーサー１４ａを一体型として形成させ軸棒６や軸管７に挿入し可動自在に配列枢設した構成でも良い。
【００１０】
装飾ツリー体１０ｂは、複数本の飾りツリー１０ａから構成され、各々は個別に可動自在を成し、閉じる時にはケース３によってそれらが挟み込まれ、薄くコンパクトに収納される。又、ケース３を開くと内部の装飾体は、挟み込まれたままの状態と成ってしまうので、開放後、それぞれの複数本の飾りツリー１０ａを左右にバランス良く開き、展開させスピーディに立体的な装飾ツリー体１０ｂの展示装飾を可能にする。更に、それらの飾りツリー１０ａをあらかじめの展示位置に想定し、各々飾りツリー１０ａ同士やスペーサー１４ａそして、ケース３の内側面などに、結束線１４ｂを経由し繋ぎ止めて置くことで、ケースの見開き動作で伸縮により引っ張られ、バランス良く自動的に展示させる事が可能となる。
装飾ツリー体１０ｂの下部の根本は、ケース３を大きく見開いた時に折りたたみ装飾体１が、前後に転倒を防止する機能を有する転倒防止材１６ｂを成し見栄え良く植木鉢を模した装飾足１６ａを形成する。そして、この装飾足１６ａは展示に際しケース３の開閉位置を固定する係止具の機能も兼ね備え果たしている。
更に、この装飾足１６ａは、折りたたみに支障の無い折り曲げ可能な機構を成す。
折りたたみ装飾体１は、コンセント１２ｃより装飾足１６ａの裏側で見えない位置から配線１２ｂで電源を供給しケース３の内部に引き込み、複数本の飾りツリー１０ａに巻き付け係止し、電飾照明部材１２ａを配し飾り付けを構成する。
【００１１】
折りたたみ装飾体１は、少なくともケース３の片側ケースを仕切蓋１９に代えて構成しても収納時に装飾体を納めケース包装を成していれば何ら支障が無い。
クリスマスツリーの装飾ツリー体１０ｂ若しくは、門松飾りの門松装飾体１１ｂ各々単一の装飾品としての折りたたみ装飾体１と成す事もできる。
ケース３の内側面は鏡、反射板２が枢設しているので、装飾ツリー体１０ｂや電飾照明部材１２ａその他の各種の飾り付け品も映えて、電飾数も映し出され倍増に見え美しく奥行き感を出す構成とする。
折りたたみ装飾体１の掛けリング５や軸管７の最上部には、装飾ツリー体１０ｂの象徴でもある星形や人形などの付帯装飾品を差し込み展示が可能である。
折りたたみ装飾体１のケース３には、収納時にケース３を閉じ内部の装飾体が外部に飛び出すのを防ぎ、更に、展示位置や見開き角度を固定させケース３を緊結に固定する係止具１７を取り付ける。ケース３を閉じ上部に吊下フック１８を設け、吊り下げ展示にも使用できる実施例１の折りたたみ装飾体１を構成する。
【００１２】
実施例２
この発明の折りたたみ装飾品の実施例２を図５乃至図７を参照して説明する。該実施例は、前記実施例１の二つ以上のケース３が綴りもと４ａを介し、装飾ツリー体１０ｂと門松装飾体１１ｂを２種類以上に複合し折りたたみ装飾体１を構成する。折りたたみ装飾体１を成す、少し深目のケース３の片側に、一方の向き合うケース３を仕切蓋１９に代え連結係止させ、その両内側面に鏡、反射板２を施し、装飾ツリー体１０ｂを綴じ込み形成し、そして更に、仕切蓋１９を挟み他方のケース３を重ね連結係止させ、門松装飾体１１ｂを綴じ込み形成し前記実施例の形態を成す折りたたみ装飾体１を構成する。
前記実施例に加え門松装飾体１１ｂは、ヒンジ連結部４ｂに軸棒６又は軸管７を設け、竹飾材２０の枝棒９の根元端部とスペーサー１４ａを一体型に緊結し固定させた回動リング１３を、それらに差し込み可動自在に形成する。
門松装飾体１１ｂは、３本から成る竹飾材２０を松飾材２１で囲み、笹や梅飾材２２の各々樹木の葉や枝を模した複数本の門松飾材１１ａを装着係止し、かつ可動自在に構成する。又、その軸棒６、軸管７はどちらを用いても良い。軸管７を用いる事で、その軸管７に一定間隔に多数個の適宜の長さの溝穴８を設け、飾りツリー１０ａと同様に、門松飾材１１ａの枝棒９を差し込み、掛け通しにより脱落無く緊結にして、かつ可動自在に掛け留めして形成する事も可能と成る。
門松装飾体１１ｂの下部の根本には、見栄え良くジャバラ状の荒縄で結んだむしろ廻しを模した折りたたみに支障の無い伸縮自在な装飾足１６ａを設け、ケース３の内側面に係止し、折り曲げ可能な構成を成す。この装飾足１６ａは、ケース３を大きく見開いた時に折りたたみ装飾品１が前後への転倒を防止する機能と成る転倒防止材１６ｂを形成する。そして、展示装飾に際しケース３を自立させ開閉位置を固定する係止具の機能も兼ね備え果たしている。
装飾体の２つ以上のケース３は、その全てをケース３に限り用いる迄には及ばず、途中に仕切蓋１９を挟み込んでも折りたたみ装飾品１のケース３は、それぞれ綴りもと４ａ若しくは、ヒンジ連結部４ｂにより一体に連結する機構を成す。
以上の様な複合型の折りたたみ装飾体１を形成させ、展示に際し、門松飾材１１ａを左右にバランス良く展開するだけでスピーディにして容易に立体的な装飾ツリー体１０ｂや門松装飾体１１ｂを組み立て構成する。
図７では、装飾体の内部の軸管７が竹飾材２０と笹との中間の一箇所を起点に折曲可動部１５で二つのケース３を連結係止し、折り曲げたたみ収納が可能な機構を成し、ケース３の側部に、それぞれ二つで一組の閉塞に保持固定する係止具１７を取り付け収納可能な、実施例２の折りたたみ装飾ツリー体１を構成する。
【００１３】
実施例３
この発明の実施例３を図８乃至図１０を参照して説明する。該実施例は、折りたたみ装飾体１のケース３を縦長に連結した上下の中程の一箇所以上に折曲可動部１５で連結係止させ、折曲自在機構を構成し、その部位を起点にケース３を上下２つに折り曲げたたみコンパクトな収納を成す前記実施例同様の構成である。折りたたみ装飾体１の綴りもと４ａやヒンジ連結部４ｂにより、複数本の飾りツリー１０ａや門松飾材１１ａの枝棒９の根元端部がフック状やリング状の回動リング１３を形成し、隙間調整のスペーサー１４ａと交互に軸棒６又は、軸管７に差し込み枝棒９を脱落すること無く装着係止し、かつ可動自在に構成する。
コンセント１２ｃより配線１２ｂで電源を供給しケース３の内部に配線１２ｂを引き込み、複数本の飾りツリー１０ａに巻き付け係止させ電飾照明部材１２ａを配置し飾り付けを構成する。折曲自在機構の場合、配線１２ｂはケース３内から一旦、折曲可動部１５に於いてケース３の外部に出て再度、別のケース３内に配線されるが、折り曲げたたみ収納する場合には、その一旦外部に出た配線１２ｂの箇所は露出するが、展示に際しては折曲可動部１５が重なり合い露出することは無い。又、この折曲可動部１５で一旦外部に出た配線１２ｂの露出箇所は、頻繁に屈曲することは無いが切断される恐れも有るので配線の切断補強を施す。
装飾体は複数本の飾りツリー１０ａから構成され、各々は個別に可動自在を成し、展示位置をあらかじめ決め、各々飾りツリー１０ａ同士やスペーサー１４ａなどに結束線１４ｂを経由し繋ぎ止め置くことで、ケースの開示する動作で、その結束線１４ｂが飾りツリー１０ａをバランス良く展示させる事が可能となる。
装飾体の内部の装飾ツリー体１０ｂや門松装飾体１１ｂを縦に２倍以上の高さを形成させる場合、折りたたみ装飾体１のケース３に一箇所以上の折曲可動部１５を設け、連結係止させる事により、折り曲げたたみ収納を構成させる。特に大きな樅の木に模した上下に長い本格的なクリスマスツリー飾りの装飾ツリー体１０ｂには、二箇所以上に折曲可動部１５で連結係止させ折曲自在機構を設ける。狭いスペースでも無理なく収納や持ち運びに便利な三つ折り曲げにして３倍以上の高さも同じ手段で構成できる。よって本格的な高さのクリスマスツリー飾りの折りたたみ装飾体１の構成には、折曲可動部１５を一箇所、二箇所と増やし、二つ折り曲げたたみや三つ折り曲げたたみのコンパクト化した収納が必要と成る。
ケース３の連結部位や折曲可動部１５は、展示装飾に支障が起きないよう確実に自立固定され、ケース３の開閉の展示位置、見開き角度の固定、ケース３同士のズレ防止を確実に保持固定させる為の係止具１７を配設する。この係止具１７をマジックテープで利用し保持固定する構成でも良い。又、見開き部に於ける係止具１７は、二つで一組でケース３を閉じ内部の装飾体が飛び出す事を防ぎ、閉塞に保持固定させる実施例３の折りたたみ装飾ツリー体１を構成する。
【００１４】
【発明の効果】
本発明のクリスマスツリー飾りや門松飾りに於いて、従来の組み立て式では、飾り付け、収納にとても面倒で、かなり労力を要する程の装飾品で、枝などの簡易な取り外しタイプであったり、枝のみの折りたたみ可能な簡易な程度の装飾品が主流であったが、その装飾体をケースに納め、開閉自在な展示装飾及び収納を可能とする折りたたみ装飾体を成す。通常のショーウインドゥや一般家庭などで展示スペースが限られ、その多くが壁や窓を背にして展示される用途に供され、装飾品を中央に置き、全方向からの鑑賞を必要としない展示装飾が容易にして、コンパクトに収納可能な折りたたみ装飾体を提供する。
展示スペースが広く有れば、全体を立体的に展示装飾する意味を成しますが、展示スペースや設置場所により、一方方向からの鑑賞が主で、装飾体の裏側に廻り込まなければ鑑賞する事ができ無い場合に、その見えない裏側の装飾体を削除して、樹木の樅の木や門松飾りの装飾体を鏡や反射板で映し出し、鑑賞しても何ら機能が損なわれず、遙かに装飾体の立体感やボリューム感を増大する。
装飾体の裏側の削減は、展示スペースの減少やコストも削減され、鏡などの反射により、電飾照明部材の数量も倍増し映るので美しく奥行き感も出る。更に、軽量化され折りたたみや折り曲げたたみ収納が可能と成るので、片付けに際しても容易でコンパクトに収納できる。狭いスペースしか無い家庭では、部屋のコーナーを有効に利用し大きなクリスマスツリーを展示装飾して楽しむ事ができる。
本発明は、開閉する二つ以上のケースで折りたたみ装飾体を構成し、安価で簡易な綴りもと方式や耐久性を持つヒンジ連結部による綴じ込み装飾が選択でき、装飾物の重量や耐久性により溝穴、掛けリング、軸棒、軸管に成形を図れる。
枝棒の根元端部がＬ字状やコの字状の簡易な形状で装着係止させ、又、フック状、リング状などの回動リングで形成させ、各々が脱落すること無く緊結に装着係止され、かつ可動自在に配列されているので展示装飾に際してもスムーズである。更に、枝棒を展示装飾位置にあらかじめ結束線により繋ぎ止め置くことで、ケースの開示する動作で、自動的にバランス良く見開き展示装飾が可能となる。
装飾体を複合連結したタイプは、クリスマスが終わった後、見開きケースをめくる事で迎える新年に見栄えの良い本格的な門松展示装飾を簡単に展示できる。
上下に二つ以上に折り曲げたたみ収納なタイプは、高さが２倍以上の装飾体を構成できるので、簡単に小スペースで装飾展示が成され、ケースを閉じるだけでコンパクトに収納が可能で、持ち運びに便利な折りたたみ装飾体を提供できる。
【図面の簡単な説明】
【図１】本発明の折りたたみ装飾体による実施例１の展示した状態を示す斜視図である。
【図２】実施例１の折りたたみ装飾体を示す要部斜視図である。
【図３】実施例１のケースを折りたたんだ状態を示す斜視図である。
【図４】実施例１の綴りもとに於ける要部拡大斜視図である。
【図５】実施例２の軸棒に於ける要部拡大斜視図である。
【図６】実施例２の折りたたみ装飾体を示す斜視図である。
【図７】実施例２の軸管に於ける要部拡大斜視図である。
【図８】実施例３の折りたたみ装飾体を示す要部斜視図である。
【図９】実施例３のケースを二つ折り曲げたたみ収納の状態を示す斜視図である。
【図１０】実施例３のケースを三つ折り曲げたたみ収納の状態を示す斜視図である。
【符号の説明】
１・・・折りたたみ装飾体　２・・・鏡、反射板　　　３・・・ケース
４ａ・・綴りもと　　　　　４ｂ・・ヒンジ連結部　　５・・・掛けリング
６・・・軸棒　　　　　　　７・・・軸管　　　　　　８・・・溝穴
９・・・枝棒　　　　　　１０ａ・・飾りツリー　　１０ｂ・・装飾ツリー体
１１ａ・・門松飾材　　　　１１ｂ・・門松装飾体
１２ａ・・電飾照明部材　　１２ｂ・・配線　　　　　１２ｃ・・コンセント
１３・・・回動リング　　　１４ａ・・スペーサー　　１４ｂ・・結束線
１５・・・折曲可動部　　　１６ａ・・装飾足　　　　１６ｂ・・転倒防止材
１７・・・係止具　　　　　１８・・・吊下フック　　１９・・・仕切蓋
２０・・・竹飾材　　　　　２１・・・松飾材　　　　２２・・・梅飾材
【図１】
2004027454.tif 000003
【図２】
2004027454.tif 000004
【図３】
2004027454.tif 000005
【図４】
2004027454.tif 000006
【図５】
2004027454.tif 000007
【図６】
2004027454.tif 000008
【図７】
2004027454.tif 000009
【図８】
2004027454.tif 000010
【図９】
2004027454.tif 000011
【図１０】
2004027454.tif 000012
【手続補正書】
【提出日】平成15年8月20日(2003.8.20)
【手続補正１】
【補正対象書類名】明細書
【補正対象項目名】特許請求の範囲
【補正方法】変更
【補正の内容】
【特許請求の範囲】
【請求項１】
二つ以上のケースが綴りもとを介し、開閉自在に連結係止され折りたたみ機構を呈し、綴りもとの連結部位に樹木の葉や枝、花を模した複数本の飾りツリーや門松飾材や花飾材等より成す装飾体が、連結部位の連なる溝穴に装着係止により可動自在に配列枢設され、折りたたみケース内に装飾体を収納し、開閉自在に見開き装飾体を展示成らしめる構成とすることを特徴とする折りたたみ装飾体。
【請求項２】
綴りもとの連結部位をヒンジ連結部により開閉自在に連結係止され折りたたみ機構を呈し、ヒンジ連結部には掛けリングが配置枢設され、該掛けリングに複数本の装飾体が緊結に装着係止により可動自在に配列枢設された構成である請求項１に記載する折りたたみ装飾体。
【請求項３】
綴りもとの連結部位のヒンジ連結部に軸棒又は、軸管を配置枢設され、該軸棒又は、軸管には複数本の装飾体が回動リングにより装着係止しスペーサーを隙間調整に挿入係止させ、可動自在に配列枢設された構成である請求項１に記載する折りたたみ装飾体。
【請求項４】
綴りもとの連結部位に少なくとも１箇所以上の溝穴を施す装飾足を設け、その装飾足に装飾体の枝棒を装着係止により可動自在に挿入枢設された構成である請求項１から請求項３のいずれか一つの項に記載する折りたたみ装飾体。
【請求項５】折りたたみ装飾体のケースの内側面に鏡又は、反射板を枢設した構成である請求項１から請求項４のいずれかに記載する折りたたみ装飾体。
【請求項６】装飾体に電飾照明部材を配設し飾り付けた構成である請求項１から請求項５のいずれか一つの項に記載する折りたたみ装飾体。
【請求項７】折りたたみ装飾品のケースの上下を一箇所以上の折曲可動部で連結係止させ折曲自在機構を呈し、折り曲げたたみ収納と成らしめる構成である請求項１から請求項６のいずれか一つの項に記載する折りたたみ装飾体。
【請求項８】折りたたみ装飾体の綴りもとの連結部位に転倒防止材を成す装飾足を備えた構成である請求項１から請求項７のいずれか一つの項に記載する折りたたみ装飾体。
【請求項９】折りたたみ装飾体のケース側部の連結部位や折曲可動部位にケースを保持固定する係止具を備えた構成である請求項１から請求項８のいずれか一つの項に記載する折りたたみ装飾体。
【手続補正２】
【補正対象書類名】明細書
【補正対象項目名】０００１
【補正方法】変更
【補正の内容】
【０００１】
【発明に属する技術分野】
本発明は、クリスマスツリーや門松、造花、電飾照明などの装飾体をケースに納め、開閉自在な折りたたみ型に構成することにより、展示には、大きく見開き自立展示装飾ができ、かつ収納には、ケースにコンパクトに折りたためられる装飾体に関する。


【手続補正３】
【補正対象書類名】明細書
【補正対象項目名】０００４
【補正方法】変更
【補正の内容】
【０００４】
【発明が解決しようとする課題】
以上のようなクリスマスツリーや門松、造花、電飾照明などの展示装飾品が提供され、それぞれの家庭に於いて、各行事に伴い予算やスペースなどを考慮したうえでツリーや門松を選択して催している。しかし、玩具店などで販売しているツリーや門松は、卓上に飾る程度に小さいのでボリューム感や豪華さに欠け見た目にも趣が無い。
一方、比較的に大きな一般家庭用の分解式や組み立て式では、展示に際し細かな組み立て飾り付けと楽しさも有り良いが、その行事の終了後には、再度細かく分解し、片付け、整えてしまい込む収納にも手間取り、かさばって、取り扱いも非常に面倒でかなり労力を要する程であった。そして、多くは枝の簡易な取り外しタイプであったり、枝のみの折りたたみ可能な簡易な程度の装飾品で、豪華さは有るが立体的で展示場所にも大きなスペースが必要な装飾品であった。
更に、公知公開されている技術は、平面形状が薄い円弧状であるので、大きくても周囲に立体的なスペースを取らず、何と言っても壁掛けには好都合だが、薄い形状なのでボリューム感や平面的で奥行きなどの立体感も無く、趣が希薄なうえ、電飾照明も備えていないので見栄えも悪く、豪華さに欠け、折りたたみもできず保管にも場所を取り、装飾性が低いクリスマスツリーの技術である。


【手続補正４】
【補正対象書類名】明細書
【補正対象項目名】０００５
【補正方法】変更
【補正の内容】
【０００５】
【課題を解決するための手段】
本発明に係る折りたたみ装飾体は、展示装飾に際し、従来の装飾体の裏面で見えにくい部分に於いて、その不要な部分を削除して、展示スペースを大幅に削減させ、観賞しようとする装飾体部位のみをケースに納め、それらを鏡や反射板により映し補い、立体感を倍増させる効果的な演出を構成する。
二つ以上のケースを簡易的な綴りもとにより構成し、若しくは、耐久性を持たせ綴りもとの連結部位をヒンジ連結部により開閉自在に連結係止させた折りたたみ機構を構成する。その各々の連結部に位置させた複数の溝穴、掛けリング、及び、軸棒、軸管、装飾足などを支点として、複数本の樹木の葉や枝や花を模した飾りツリーや門松飾材、花飾材、電飾照明の装飾体を可動自在に配列枢設する。そして、コンセントにより電源を通じ電飾照明部材を配線した装飾体を構成することで貴賓と豪華さを演出する。
展示装飾に際しケースを見開き解放後、綴じ込まれていた装飾体を左右にバランス良く展開する事で装飾ツリー体や門松装飾体を簡単に立体展示できる。
折りたたみ装飾体のケースの解放角度が広く展示される場合には、装飾足により転倒を防ぎ、開閉角度を固定し自立展示が可能となる。又、折りたたみや自立展示を固定する係止具によりケースを保持固定する。更に、大きなサイズの場合には、ケースの上下を一箇所以上の折曲可動部で折り曲げたたみ収納させ、よりコンパクトに収納が可能で機能的にして扱い易い折りたたみ装飾品を構成する。


【手続補正５】
【補正対象書類名】明細書
【補正対象項目名】０００７
【補正方法】変更
【補正の内容】
【０００７】
折りたたみ装飾体１の内側面に鏡、反射板２を貼り枢設し、二つ以上のケース３の綴りもと４ａやヒンジ連結部４ｂに複数の溝穴８、掛けリング５、軸棒６、軸管７、装飾足１６ａ各々を選抜し設ける。そこを支点に装飾体の樅の木を模した飾りツリー１０ａの枝棒９を下部より上部に至るに従い短いものを装着係止させ、枝棒９を可動自在に配列した構成を成す。ケース３を開いて飾りツリー１０ａを左右にバランス良く展開するだけでスピーディにして容易に立体的な装飾ツリー体１０ｂを組み立てられる。少なくとも片面がケース３で、もう一方が仕切蓋１９でも折りたたみ装飾品１を成す事が可能で、単にクリスマスツリー飾りの装飾ツリー体１０ｂ若しくは、門松飾りの門松装飾体１１ｂ各々単独での折りたたみ装飾品１とする事もできる。更に、装飾ツリー体１０ｂを花飾材１１ｃの花装飾体１１ｄや電飾照明に替え折りたたみ装飾体１を構成する事も可能である。折りたたみ装飾体１の綴りもと４ａの連結部位の下部に少なくとも１箇所以上、比較的大きめな溝穴８を施す装飾足１６ａを設け、その装飾足１６ａに各装飾体の枝棒９を装着係止により可動自在に挿入枢設された構成である。又、装飾足は転倒防止材を兼ねる。ケース３の内側両面の鏡、反射板２により、飾りツリー１０ａや電飾が映るので電飾照明部材１２ａも倍増に見え美しく奥行き感が出る。


【手続補正６】
【補正対象書類名】明細書
【補正対象項目名】０００９
【補正方法】変更
【補正の内容】
【０００９】
【実施例】
実施例１
本発明の折りたたみ装飾品の実施例１を図１乃至図５及び図１１、図１２、を参照して説明する。
該実施例は発明の基本型を示し、折りたたみ装飾体１が、二つ以上のケース３を介し簡易機構の綴りもと４ａ若しくは、耐久性を持つ強靱機構のヒンジ連結部４ｂにより、開閉自在に連結係止し、ケース３の内側面に鏡、反射板２を設け折りたたみ機構を成す。ケース３の内部の綴りもと４ａに複数の溝穴８を設け、若しくは、ヒンジ連結部４ｂにバインダー状に似た掛けリング５を一定間隔で多数個配置する。それらを支点に、装飾体の樅の木などの樹木の葉や枝を模した長さの異なる飾りツリー１０ａの枝棒９を装飾ツリー体１０ｂの下部より上部に至るに従い、飾りツリー１０ａを短く施し、樅の木に似せてクリスマスツリー形状に飾り整える。その枝棒９の根元端部が、Ｌ字状、若しくは、コの字状に曲げられ複数の適宜の大きさの溝穴８や掛けリング５に連なり脱落しないように緊結に装着係止され、かつ可動自在に配列枢設された装飾ツリー体１０ｂを構成する。
装着係止される枝棒９を弾力性の有する材料で使うことにより、枝棒９を溝穴８や掛けリング５に可動せず直接、綴りもと４ａやヒンジ連結部４ｂに緊結係止されても一定期間に於ける使用頻度では、展示装飾に耐えられ支障が少ない。
折りたたみ装飾体１の図４及び図５の要部拡大斜視図に於いて、図４では、掛けリング５に枝棒９を掛け留めする他の実施例を示したタイプで、一定間隔に複数の適宜の大きさの溝穴８を設け、飾りツリー１０ａの枝棒９を前記と同様に曲げられ、差し込み、掛け通して脱落無く緊結にして、かつ可動自在に掛け留めして形成するが、軸管７にその適宜の大きさの溝穴８を枢設しても可能である。
次に図５に示すタイプは、枝棒９の根元端部にフック状やリング状から成る回動リング１３を付けた飾リツリー１０ａと、一定の長さのスペーサー１４ａを交互に軸棒６に差し込み可動自在に形成するが、軸棒６を軸管７に代えて用いても問題は無い。いずれも軸棒６や軸管７を交点に枝棒９が脱落すること無く緊結に装着係止して複数の飾りツリー１０ａを左右に可動させ展示する構成である。
又、枝棒９の根元端部に設ける回動リング１３とスペーサー１４ａを一体型として形成させ軸棒６や軸管７に挿入し可動自在に配列枢設した構成でも良い。


【手続補正７】
【補正対象書類名】明細書
【補正対象項目名】００１０
【補正方法】変更
【補正の内容】
【００１０】
装飾ツリー体１０ｂは、複数本の飾りツリー１０ａから構成され、各々は個別に可動自在を成し、閉じる時にはケース３によってそれらが挟み込まれ、薄くコンパクトに収納される。又、ケース３を開くと内部の装飾体は、挟み込まれたままの状態と成ってしまうので、開放後、それぞれの複数本の飾りツリー１０ａを左右にバランス良く開き、展開させスピーディに立体的な装飾ツリー体１０ｂの展示装飾を可能にする。更に、それらの飾りツリー１０ａをあらかじめの展示位置に想定し、各々飾りツリー１０ａ同士やスペーサー１４ａそして、ケース３の内側面などに、結束線１４ｂを経由し繋ぎ止めて置くことで、ケースの見開き動作で伸縮により引っ張られ、バランス良く自動的に展示させる事が可能となる。
装飾ツリー体１０ｂの下部の根本は、ケース３を大きく見開いた時に折りたたみ装飾体１が、前後に転倒を防止する機能を有する転倒防止材１６ｂを成し見栄え良く植木鉢を模した装飾足１６ａを形成する。そして、この装飾足１６ａは展示に際しケース３の開閉位置を固定する係止具の機能も兼ね備え果たしている。更に、この装飾足１６ａは折りたたみに支障の無い折り曲げ可能な機構を成す。
折りたたみ装飾体１は、コンセント１２ｃより装飾足１６ａの裏側で見えない位置から配線１２ｂで電源を供給しケース３の内部に引き込み、複数本の飾りツリー１０ａに巻き付け係止し、電飾照明部材１２ａを配し飾り付けを構成する。


【手続補正８】
【補正対象書類名】明細書
【補正対象項目名】００１１
【補正方法】変更
【補正の内容】
【００１１】
折りたたみ装飾体１は、少なくともケース３の片側ケースを仕切蓋１９に代えて構成しても収納時に装飾体を納めケース包装を成していれば何ら支障が無い。
クリスマスツリーの装飾ツリー体１０ｂ若しくは、門松飾りの門松装飾体１１ｂ各々単一の装飾品としての折りたたみ装飾体１と成す事もできる。更に、装飾ツリー体１０ｂを花飾材１１ｃの花装飾体１１ｄや電飾照明部材１２ａに替え、折りたたみ装飾体１を構成する事も可能である。
折りたたみ装飾体１の綴りもと４ａの連結部位の下部に、少なくとも１箇所以上、比較的大きめな溝穴８を施す装飾足１６ａを設け、その装飾足１６ａに各装飾体の枝棒９を装着係止により可動自在に挿入枢設された構成とする。
ケース３の内側面は鏡、反射板２が枢設しているので、装飾ツリー体１０ｂや電飾照明部材１２ａその他の各種の飾り付け品も映えて、電飾数も映し出され倍増に見え美しく奥行き感を出す構成とする。
折りたたみ装飾体１の掛けリング５や軸管７の最上部には、装飾ツリー体１０ｂの象徴でもある星形や人形などの付帯装飾品を差し込み展示が可能である。
折りたたみ装飾体１のケース３には、収納時にケース３を閉じ内部の装飾体が外部に飛び出すのを防ぎ、更に、展示位置や見開き角度を固定させケース３を緊結に固定する係止具１７を取り付ける。ケース３を閉じ上部に吊下フック１８を設け、吊り下げ展示にも使用できる実施例１の折りたたみ装飾体１を構成する。


【手続補正９】
【補正対象書類名】明細書
【補正対象項目名】００１４
【補正方法】変更
【補正の内容】
【００１４】
【発明の効果】
本発明のクリスマスツリー飾りや門松飾り、花装飾体、電飾照明に於いて、従来の組み立て式では、飾り付け、収納にとても面倒で、かなり労力を要する程の装飾品で、枝などの簡易な取り外しタイプであったり、枝のみの折りたたみ可能な簡易な程度の装飾品が主流であったが、その装飾体をケースに納め、開閉自在な展示装飾及び収納を可能とする折りたたみ装飾体を成す。通常のショーウインドゥや一般家庭などで展示スペースが限られ、その多くが壁や窓を背にして展示される用途に供され、装飾品を中央に置き、全方向からの鑑賞を必要としない展示装飾が容易にして、コンパクトに収納可能な折りたたみ装飾体を提供する。
展示スペースが広く有れば、全体を立体的に展示装飾する意味を成しますが、展示スペースや設置場所により、一方方向からの鑑賞が主で、装飾体の裏側に廻り込まなければ鑑賞する事ができ無い場合に、その見えない裏側の装飾体を削除して、樹木の樅の木や門松飾りの装飾体を鏡や反射板で映し出し、鑑賞しても何ら機能が損なわれず、遙かに装飾体の立体感やボリューム感を増大する。
装飾体の裏側の削減は、展示スペースの減少やコストも削減され、鏡などの反射により、電飾照明部材の数量も倍増し映るので美しく奥行き感も出る。更に、軽量化され折りたたみや折り曲げたたみ収納が可能と成るので、片付けに際しても容易でコンパクトに収納できる。狭いスペースしか無い家庭では、部屋のコーナーを有効に利用し大きなクリスマスツリーを展示装飾して楽しむ事ができる。
本発明は、開閉する二つ以上のケースで折りたたみ装飾体を構成し、安価で簡易な綴りもと方式や耐久性を持つヒンジ連結部による綴じ込み装飾が選択でき、装飾物の重量や耐久性により溝穴、掛けリング、軸棒、軸管、装飾足により成形を図る。更に、装飾ツリー体を造花、花装飾体や電飾照明部材に替え、折りたたみ装飾体を構成する事も可能である。折りたたみ装飾体の綴りもとの連結部位の下部に、少なくとも１箇所以上、比較的大きめな溝穴を施す装飾足を設け、その装飾足に各装飾体の枝棒を装着係止により可動自在に挿入枢設された構成でも良い。又、装飾足は、転倒防止材を兼ねている。装飾体の枝棒の根元端部がＬ字状やコの字状の簡易な形状で装着係止させ、又、フック状、リング状などの回動リングで形成させ、各々が脱落すること無く緊結に装着係止され、かつ可動自在に配列されているので展示装飾に際してもスムーズである。更に、枝棒を展示装飾位置にあらかじめ結束線により繋ぎ止め置くことで、ケースの開示する動作で、自動的にバランス良く見開き展示装飾が可能となる。
装飾体を複合連結したタイプは、クリスマスが終わった後、見開きケースをめくる事で迎える新年に見栄えの良い本格的な門松展示装飾を簡単に展示できる。
上下に二つ以上に折り曲げたたみ収納なタイプは、高さが２倍以上の装飾体を構成できるので、簡単に小スペースで装飾展示が成され、ケースを閉じるだけでコンパクトに収納が可能で、持ち運びに便利な折りたたみ装飾体を提供できる。


【手続補正１０】
【補正対象書類名】明細書
【補正対象項目名】図面の簡単な説明
【補正方法】変更
【補正の内容】
【図面の簡単な説明】
【図１】本発明の折りたたみ装飾体を実施例１の展示した状態に示す斜視図である。
【図２】実施例１の折りたたみ装飾体を示す要部斜視図である。
【図３】実施例１のケースを折りたたんだ状態を示す斜視図である。
【図４】実施例１の綴りもとに於ける要部拡大斜視図である。
【図５】実施例２の軸棒に於ける要部拡大斜視図である。
【図６】実施例２の折りたたみ装飾体を示す斜視図である。
【図７】実施例２の軸管に於ける要部拡大斜視図である。
【図８】実施例３の折りたたみ装飾体を示す要部斜視図である。
【図９】実施例３のケースを二つ折り曲げたたみ収納の状態を示す斜視図である。
【図１０】実施例３のケースを三つ折り曲げたたみ収納の状態を示す斜視図である。
【図１１】実施例１の装飾足に於ける要部拡大斜視図である。
【図１２】実施例１の折りたたみ装飾体を花飾材にて展示した状態に示す斜視図である。
【符号の説明】
１・・・折りたたみ装飾体　２・・・鏡、反射板　　　３・・・ケース
４ａ・・綴りもと　　　　　４ｂ・・ヒンジ連結部　　５・・・掛けリング
６・・・軸棒　　　　　　　７・・・軸管　　　　　　８・・・溝穴
９・・・枝棒　　　　　　１０ａ・・飾りツリー　　１０ｂ・・装飾ツリー体
１１ａ・・門松飾材　　　　１１ｂ・・門松装飾体
１１ｃ・・花飾材　　　　　１１ｄ・・花装飾体
１２ａ・・電飾照明部材　　１２ｂ・・配線　　　　　１２ｃ・・コンセント
１３・・・回動リング　　　１４ａ・・スペーサー　　ｌ４ｂ・・結束線
１５・・・折曲可動部　　　１６ａ・・装飾足　　　　１６ｂ・・転倒防止材
１７・・・係止具　　　　　１８・・・吊下フック　　１９・・・仕切蓋
２０・・・竹飾材　　　　　２１・・・松飾材　　　　２２・・・梅飾材


【手続補正１１】
【補正対象書類名】図面
【補正対象項目名】図１１
【補正方法】追加
【補正の内容】
【図１１】
2004027454.tif 000013
【手続補正１２】
【補正対象書類名】図面
【補正対象項目名】図１２
【補正方法】追加
【補正の内容】
【図１２】
2004027454.tif 000014